(57)【要約】【課題】アース接続部の接続状態が確実であるか否かの確信をもつことができる遮断器・断路器一体型の開閉装置を提供することである。【解決手段】発電所の送電装置などに使用されている電気回路の遮断及び断路のための遮断機・断熱器一体型の開閉装置において、機器本体３内に設けられた電気的接続部及びスイッチ部を外部から視認することができる視認手段４を設けた。【選択図】図１
2007124727.tif 000002
【特許請求の範囲】
【請求項１】
発電所のボイラ装置などに使用されている電気回路の遮断及びガス回路の断路のための遮断器・断路器一体型の開閉装置において、機器本体内に設けられた電気的接続部及びスイッチ部を外部から視認することができる視認手段を設けたことを特徴とする遮断器・断路器一体型のスケルトン開閉装置。
【請求項２】
前記視認手段は、前記機器本体に設けられた透明窓により形成したことを特徴とする請求項１記載の遮断器・断路器一体型のスケルトン開閉装置。
【請求項３】
前記視認手段は、前記機器本体に埋め込まれた撮像装置により形成したことを特徴とする請求項１記載の遮断器・断路器一体型のスケルトン開閉装置。
【発明の詳細な説明】
【技術分野】
【０００１】
本発明は、発電所等において使用されている電気回路の遮断及びガス回路の断路のための遮断器・断路器一体型のスケルトン開閉装置に関するものである。
【背景技術】
【０００２】
従来、発電所のボイラ装置などは、例えば、三年に一回位の頻度で定期点検を行っている。この際、送電装置に設けられている電気回路の遮断及び断路のための遮断器・断路器一体型の開閉装置においては、アース接続部を含む電気的接続部、スイッチ部等の分解・接続・点検などが行われる。このようなアース接続部を含む電気的接続部、ガス回路のスイッチ部等は、機器本体の内部に設けられているものであり、操作ハンドルによりアースの取り付けを行うなどのように、外部からは見えない状態での作業が強いられている。この場合に、操作ハンドルによるアース接地を行った場合、装置内に設けられた指示手段により、アース接地完了の表示はなされるように構成されている。
【発明の開示】
【発明が解決しようとする課題】
【０００３】
遮断器・断路器一体型の開閉装置は、ミニクラッドと称されるが、アース接点部がミニクラッド機器内にあり、操作ハンドルでアース接地を行う際に、その作業箇所を直接目視することができないため、作業者においては、安全上の不安を感じているものである。また、前述のように、操作ハンドルによるアース接地を行った場合、装置内に設けられた指示手段により、アース接地完了の表示はなされるように構成されているものであるが、このような機能は、装置の設計者・設置者により装備されているものであり、装置の動作が完全であれば十分に作業完了の報知がなされているものと思われるが、前述のように、定期点検を行う作業者は、機器の設計や設置に携わったものではなく、アース接地完了の作業完了の報知を１００％信頼することができない。すなわち、発電所において取り扱う電圧はきわめて高電圧であり、また、使用されるガスも６フッ化硫黄（ＳＦ６）のように外気に放出することが許されないものであり、従来の作業完了の報知手段では定期点検における作業者の安心感を十分に得ることができない。特に、定期点検は、前述のように三年に一回位の頻度であり、装置が複雑である上にその操作に慣れていないという事情もあり、心情的に作業者の安心感を得ることができる作業を行うことができない。
【課題を解決するための手段】
【０００４】
請求項１記載の発明は、発電所の送電装置などに使用されている電気回路の遮断及び断路のための遮断機・断熱器一体型の開閉装置において、機器本体内に設けられた電気的接続部及びスイッチ部を外部から視認することができる視認手段を設けたものである。
【０００５】
請求項２記載の発明は、請求項１記載の遮断器・断路器一体型の開閉装置において、視認手段は、機器本体に設けられた透明窓により形成した。
【０００６】
請求項３記載の発明は、請求項１記載の遮断器・断路器一体型の開閉装置において、視認手段は、機器本体に埋め込まれた撮像装置により形成した。
【発明の効果】
【０００７】
請求項１記載の発明によれば、機器本体内に設けられた電気的接続部及びスイッチ部を外部から視認することができる視認手段が存することにより、操作ハンドルによるアース接地作業等も電気的接続部の接続状態を作業者が直接的に見て確認することができ、これにより、作業結果に自信を持つことができ、危険な高圧部分の電気的接続、特に、アース接続や、回路部分の接続状態等に関する安心感を得ることができるものである。
【０００８】
請求項２記載の発明によれば、視認手段が機器本体に設けられた透明窓であることから直接的に機器内部の接続箇所の確認を行うことができ、また、透明硬質プラスチックスによるスケルトン化をはかることにより透明窓の形成も容易にできるものである。
【０００９】
請求項３記載の発明によれば、機器本体に埋め込まれた撮像装置、たとえば、極小カメラ等を利用することにより、間接的に視覚による確認を行うことができ、アース接点部等が機器内部の奥深くに位置していたとしても外部から容易にその接続状態を確認することができるものである。
【発明を実施するための最良の形態】
【００１０】
本発明の実施の態様を図面に基いて説明する。まず、図１において、コンクリート等で固められたグランド１にミニクラッド２が設置されている。このミニクラッド２は、一つしか図示しないが、実際には、三相用に三個配設されている。また、電気的配線の一例は、図２に示されているが、図示のものは、単線結線図である。すなわち、両側のＬＡに対してＢ’ｇが接続され、これらのＢ’ｇと中央のＧＣＢとの間には、一方では、ＤＳ（接続部）、二個のＢＣＴが接続され、他方では、ＤＳ（接続部）、一個のＢＣＴが接続されている。また、片側のＤＳ（接続部）とＢ’ｇとＬＡとの接続点と接地間には、ＥＳ（アース接続部）が接続され、そのＤＳ（接続部）とＢＣＴとの接続点と接地間には、ＥＳ（アース接続部）が接続され、他側のＤＳ（接続部）とＢＣＴとの接続点と接地間には、ＥＳ（アース接続部）が接続され、そのＤＳ（接続部）とＢ’ｇとの接続点と接地間には、ＥＳ（アース接続部）が接続されている。
【００１１】
しかして、前記ミニクラッド２の機器本体３内には、図２に示す前述のＬＡ、ＤＳ（接続部）、ＢＣＴ、ＥＳ（アース接続部）、ＧＣＢ等が配設されている。このような各種の装置におけるＤＳ（接続部）、ＥＳ（アース接続部）部分には、外部からそれらの接続部を視認することができるように透明硬質プラスチックスによる透明窓４が設けられている。これらの内、ＥＳ（アース接続部）部分においては、操作ハンドル（図示せず）が設けられていてアース接続が完了するとその旨の報知する報知手段が従来から設けられているものであるが、このような報知手段の他に視覚により接続状態を確認することができる透明窓４が設けられているものである。すなわち、ＤＳ（接続部）、ＥＳ（アース接続部）部分がスケルトン化されている。
【００１２】
また、前記ミニクラッド２の機器本体３のグランド１に対する接触部分には、複数個の接地端子５が設けられている。
【００１３】
このような構成において、ミニクラッド２の定期点検は、例えば、三年に一回の頻度で行われる。作業者は、その点検作業が高い頻度で行われているものではないため、作業自体に不慣れである。しかも、ミニクラッド２の構造も複雑であり、手馴れた点検作業を行うことはできない。特に、ミニクラッド２が扱う対象は、高電圧であり、また、６フッ化硫黄（ＳＦ６）のように外気に放出することが許されないガスであるため、確実な作業を行うことが要求される。
【００１４】
このようなことから、ＤＳ（接続部）、ＥＳ（アース接続部）部分での作業においては、図示しない操作ハンドルを用いて作業が行われ、その結果、接続が完了したか否かの報知もなされるものであるが、作業者は、透明窓４を通してアース接続部等の状態を直接的に視認しつつ作業することができるため、作業の結果に対する確信を持つことができる。そのため、定期点検における作業結果に対する不安を感じることがない。このような作業は、三相のそれぞれにわたって行われるものであるが、三相の同一部分の遮断をすべて完了したときにその旨の表示がなされ、また、三相の同一部分の接続をすべて完了したときにその旨の表示がなされる。
【００１５】
このようにして、ミニクラッド２の機器本体３内に配設されて通常は見ることができないＤＳ（接続部）、ＥＳ（アース接続部）部分を透明窓４の設置により見ることができるため、作業性が向上するのみならず、作業結果に対する安心感が高い。
【００１６】
また、透明窓４の設置に替えて、小型カメラ等を設置してミニクラッド２の機器本体３のスケルトン化を行わなくてもその内部を視認することができるようにすることも可能である。この場合には、ＤＳ（接続部）、ＥＳ（アース接続部）がミニクラッド２の機器本体３内の奥深く、または、入り組んだところに配置されていたとしても作業に当たったその状態を視覚により確認しながら行うことができる。そのため、前述のように、スケルトン化された場合に較べてＤＳ（接続部）、ＥＳ（アース接続部）の設置位置の自由度を高めることができる。
【図面の簡単な説明】
【００１７】
【図１】本発明の実施の態様を示すもので、ミニクラッドの正面図である。
【図２】各部の結線状態を示す単相の結線図である。
【符号の説明】
【００１８】
３    機器本体
４    視認手段
【図１】
2007124727.tif 000003
【図２】
2007124727.tif 000004